(57)【要約】【課題】シャッター眼鏡をかけた観察者に、シャッター眼鏡のバッテリー残量などに関する情報を、立体映像の表示を通じて通知する。【解決手段】シャッター眼鏡２０は、バッテリー２２の残量などの内部情報を表示装置１０に送信し、表示装置１０側では、残量の通知や警告を表示部１１で画面表示するようにする。勿論、この通知や警告を時分割立体映像として提示することもできる。このような場合、観察者は、シャッター眼鏡２０をかけたままの状態、すなわち立体映像を視聴しながら、バッテリー２２の消耗などの状態を確認することができる。【選択図】  図１
2011215227.tif 000002
【特許請求の範囲】
【請求項１】
互いに異なる複数の映像を時分割で切り換えて表示する表示部と、
バッテリーで駆動するシャッター眼鏡と通信する通信部と、
装置動作を制御する制御部を備え、
前記通信部は、前記シャッター眼鏡にシャッターの開閉タイミングに関する情報を送信するとともに、前記シャッター眼鏡から前記バッテリーの状態情報を受信し、
前記制御部は、前記受信した前記バッテリーの状態情報に基づいて前記バッテリーの残容量が低下したことを検出すると、前記表示部の前記複数の映像に警告を表示する、
映像表示装置。
【請求項２】
前記通信部は、複数のシャッター眼鏡と通信可能であり、
前記制御部は、前記シャッター眼鏡毎の前記バッテリーの状態を表した視覚情報を前記表示部の前記複数の映像に表示する、
請求項１に記載の映像表示装置。
【請求項３】
前記通信部は、複数のシャッター眼鏡と通信可能であり、
前記制御部は、前記複数のシャッター眼鏡のうち前記バッテリーの残容量低下を検出したものをかけた観察者に対してのみ、前記表示部で前記警告の表示を含んだ前記複数の映像を表示する、
請求項１に記載の映像表示装置。
【請求項４】
前記制御部は、前記通信部で通信する複数のシャッター眼鏡のうちいずれかで前記バッテリーの残容量が低下したことを検出したときに、
前記複数の映像の各々に前記警告の表示を含んだフレームを挿入し、
前記バッテリーの残容量低下を検出しない他のシャッター眼鏡に対し、前記警告の表示を含んだフレームを表示する期間においてすべてのシャッターを閉成状態に保つことを指示したシャッターの開閉タイミングに関する情報を前記通信部から送信する、
請求項３に記載の映像表示装置。
【請求項５】
レンズにシャッター機構を備え、バッテリーで駆動するシャッター眼鏡と、
互いに異なる複数の映像を時分割で切り換えて表示する表示装置と、
を備え、
前記表示装置は、前記複数の映像の切り替えに応じたシャッターの開閉タイミングに関する情報を前記シャッター眼鏡に送信し、
前記シャッター眼鏡は、前記表示装置から受信した開閉タイミングに関する情報に基づいてシャッターの開閉動作を行なうとともに、前記バッテリーの状態情報を前記表示装置に送信し、
前記表示装置は、前記シャッター眼鏡から受信した前記バッテリーの状態情報に基づいて前記バッテリーの残容量が低下したことを検出すると、前記表示部の前記複数の映像に警告を表示する、
映像表示システム。
【請求項６】
表示部と通信部を備えた表示装置上で映像を表示する映像表示方法であって、
前記表示部で、互いに異なる複数の映像を時分割で切り換えて表示する時分割映像表示ステップと、
前記通信部から、バッテリーで駆動するシャッター眼鏡にシャッターの開閉タイミングに関する情報を送信するシャッター制御ステップと、
前記通信部で前記シャッター眼鏡から受信した前記バッテリーの状態情報に基づいて前記バッテリーの残容量が低下したことを検出すると、前記表示部の前記複数の映像に警告を表示するように制御する制御ステップと、
を有する映像表示方法。
【請求項７】
表示部と通信部を備えた表示装置上で映像を表示するための処理をコンピューター上で実行するようにコンピューター可読形式で記述されたコンピューター・プログラムであって、前記コンピューターを、
前記表示部で、互いに異なる複数の映像を時分割で切り換えて表示する時分割映像表示手段、
前記通信部から、バッテリーで駆動するシャッター眼鏡にシャッターの開閉タイミングに関する情報を送信するシャッター制御手段、
前記通信部で前記シャッター眼鏡から受信した前記バッテリーの状態情報に基づいて前記バッテリーの残容量が低下したことを検出すると、前記表示部の前記複数の映像に警告を表示するように制御する制御手段、
として機能させるためのコンピューター・プログラム。
【発明の詳細な説明】
【技術分野】
【０００１】
本発明は、シャッター眼鏡を用いた立体映像の表示に用いられ、複数の映像を非常に短い周期で交互に切り換えて画面表示する映像表示装置、映像表示システム、映像提示方法、並びにコンピューター・プログラムに係り、特に、バッテリー駆動するシャッター眼鏡のバッテリー残容量などシャッター眼鏡内部に関する情報を、シャッター眼鏡をかけた観察者に通知する映像表示装置、映像表示システム、映像提示方法、並びにコンピューター・プログラムに関する。
【背景技術】
【０００２】
左右の眼に視差のある映像を表示することで、観察者に立体的に見える立体映像を提示することができる。立体映像を提示する方式の１つとして、観察者に特殊な光学特性を持った眼鏡をかけさせ、両眼に視差をつけた画像を提示するものが挙げられる。例えば、時分割立体映像表示システムは、互いに異なる複数の映像を時分割で表示する表示装置と、映像の観察者がかけるシャッター眼鏡の組み合わせからなる。表示装置は、左眼用映像Ｌ及び右眼用映像Ｒを非常に短い周期で交互に画面表示すると同時に、左眼用映像Ｌ及び右眼用映像Ｒの周期に同期して左眼及び右眼に映像を分離して提供する。一方、観察者が装着したシャッター眼鏡は、左眼用映像Ｌがディスプレイされる間に、シャッター眼鏡の左眼部が光を透過させ、右眼部が遮光し、右眼用映像がディスプレイされる間に、シャッター眼鏡の右眼部が光を透過させ、左眼部が遮光する（例えば、特許文献１〜３を参照のこと）。
【０００３】
時分割立体映像表示システムでは、左眼用映像Ｌ及び右眼用映像Ｒを時分割で表示する際、クロストークを生じないように左眼用映像Ｌ及び右眼用映像Ｒを分離する必要がある。通常、表示装置からシャッター眼鏡に対し、シャッターの開閉タイミングを通知する。
【０００４】
また、シャッター眼鏡は、表示装置が設置された室内の好きな場所で立体映像を視聴することや、複数の視聴者が同じ立体映像を一緒に視聴することなどを考慮すると、コードレス、言い換えればバッテリー駆動であることが好ましい。勿論、コード付きのシャッター眼鏡であっても、バッテリー駆動であれば便利である。ここで、装置をバッテリー駆動式にすると、シャッター眼鏡のオペレーション時間はバッテリー容量の制約を受ける。また、バッテリー残容量がある程度以下になると、バッテリーの交換や充電などの操作を行なう必要がある。
【０００５】
多くのバッテリー駆動機器は、バッテリーの残容量などを通知し、若しくは警告するＬＥＤインジケーターなどを備えている。ところが、シャッター眼鏡の場合、立体映像を視聴中にバッテリーの状態が変化したかどうかを確認するには、頭からシャッター眼鏡を外してＬＥＤインジケーターの表示を逐一観察しなければならず、ユーザーにとって利便性に欠ける。あるいは、バッテリーの残容量が著しく低下したにもかかわらず、シャッター眼鏡をかけたまま立体映像の視聴をし続けると、表示装置からシャッターの開閉タイミングを通知する信号を受信処理できず、映像の切り替えに合わせて左右のシャッターのオン／オフ動作をできない、あるいは駆動電力の低下によりシャッターをオン／オフ動作できず、これらの結果として、立体映像を表示できなくなる。ユーザーは、シャッター眼鏡をかけたままでは、このような事態がバッテリーの消耗なのか、表示装置側の誤動作（例えば、通知信号を送信する送信機の故障）なのか、見分けがつかない。
【先行技術文献】
【特許文献】
【０００６】
【特許文献１】特開平９−１３８３８４号公報
【特許文献２】特開２０００−３６９６９号公報
【特許文献３】特開２００３−４５３４３号公報
【発明の概要】
【発明が解決しようとする課題】
【０００７】
本発明の目的は、シャッター眼鏡を用いた立体映像の表示に用いられ、複数の映像を非常に短い周期で交互に切り換えて好適に画面表示することができる、優れた映像表示装置、映像表示システム、映像提示方法、並びにコンピューター・プログラムを提供することにある。
【０００８】
本発明のさらなる目的は、バッテリー駆動するシャッター眼鏡のバッテリー残容量などシャッター眼鏡内部に関する情報を、シャッター眼鏡をかけた観察者に好適に通知することができる、優れた映像表示装置、映像表示システム、映像提示方法、並びにコンピューター・プログラムを提供することにある。
【課題を解決するための手段】
【０００９】
本願は、上記課題を参酌してなされたものであり、請求項１に記載の発明は、
互いに異なる複数の映像を時分割で切り換えて表示する表示部と、
バッテリーで駆動するシャッター眼鏡と通信する通信部と、
装置動作を制御する制御部を備え、
前記通信部は、前記シャッター眼鏡にシャッターの開閉タイミングに関する情報を送信するとともに、前記シャッター眼鏡から前記バッテリーの状態情報を受信し、
前記制御部は、前記受信した前記バッテリーの状態情報に基づいて前記バッテリーの残容量が低下したことを検出すると、前記表示部の前記複数の映像に警告を表示する、
映像表示装置である。
【００１０】
本願の請求項２に記載の発明によれば、請求項１に記載の映像表示装置の通信部は、複数のシャッター眼鏡と通信可能であり、前記シャッター眼鏡毎の前記バッテリーの状態を表した視覚情報を前記表示部の前記複数の映像に表示するように構成されている。
【００１１】
本願の請求項３に記載の発明によれば、請求項１に記載の映像表示装置の通信部は、複数のシャッター眼鏡と通信可能であり、複数のシャッター眼鏡のうち前記バッテリーの残容量低下を検出したものをかけた一部の観察者に対してのみ、前記表示部で前記警告の表示を含んだ前記複数の映像を表示するように構成されている。
【００１２】
本願の請求項４に記載の発明によれば、請求項３に記載の映像表示装置は、複数のシャッター眼鏡のうちいずれかで前記バッテリーの残容量が低下したことを検出したときに、複数の映像の各々に前記警告の表示を含んだフレームを挿入して、該当する一部の観察者に警告を表示するように構成されている。また、バッテリーの残容量低下を検出しない他のシャッター眼鏡に対しては、この警告の表示期間においてすべてのシャッターを閉成状態に保つことを指示したシャッターの開閉タイミングに関する情報を送信するように構成されている。したがって、関係のない観察者の眼から警告の表示を含んだフレームが遮られるので、バッテリーの残容量低下を検出したものをかけた一部の観察者に対してのみ警告が表示されることになる。
【００１３】
また、本願の請求項５に記載の発明は、
レンズにシャッター機構を備え、バッテリーで駆動するシャッター眼鏡と、
互いに異なる複数の映像を時分割で切り換えて表示する表示装置と、
を備え、
前記表示装置は、前記複数の映像の切り替えに応じたシャッターの開閉タイミングに関する情報を前記シャッター眼鏡に送信し、
前記シャッター眼鏡は、前記表示装置から受信した開閉タイミングに関する情報に基づいてシャッターの開閉動作を行なうとともに、前記バッテリーの状態情報を前記表示装置に送信し、
前記表示装置は、前記シャッター眼鏡から受信した前記バッテリーの状態情報に基づいて前記バッテリーの残容量が低下したことを検出すると、前記表示部の前記複数の映像に警告を表示する、
映像表示システムである。
【００１４】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００１５】
また、本願の請求項６に記載の発明は、表示部と通信部を備えた表示装置上で映像を表示する映像表示方法であって、
前記表示部で、互いに異なる複数の映像を時分割で切り換えて表示する時分割映像表示ステップと、
前記通信部から、バッテリーで駆動するシャッター眼鏡にシャッターの開閉タイミングに関する情報を送信するシャッター制御ステップと、
前記通信部で前記シャッター眼鏡から受信した前記バッテリーの状態情報に基づいて前記バッテリーの残容量が低下したことを検出すると、前記表示部の前記複数の映像に警告を表示するように制御する制御ステップと、
を有する映像表示方法である。
【００１６】
また、本願の請求項７に記載の発明は、表示部と通信部を備えた表示装置上で映像を表示するための処理をコンピューター上で実行するようにコンピューター可読形式で記述されたコンピューター・プログラムであって、前記コンピューターを、
前記表示部で、互いに異なる複数の映像を時分割で切り換えて表示する時分割映像表示手段、
前記通信部から、バッテリーで駆動するシャッター眼鏡にシャッターの開閉タイミングに関する情報を送信するシャッター制御手段、
前記通信部で前記シャッター眼鏡から受信した前記バッテリーの状態情報に基づいて前記バッテリーの残容量が低下したことを検出すると、前記表示部の前記複数の映像に警告を表示するように制御する制御手段、
として機能させるためのコンピューター・プログラムである。
【００１７】
本願の請求項７に係るコンピューター・プログラムは、コンピューター上で所定の処理を実現するようにコンピューター可読形式で記述されたコンピューター・プログラムを定義したものである。換言すれば、本願の請求項７に係るコンピューター・プログラムをコンピューターにインストールすることによって、コンピューター上では協働的作用が発揮され、本願の請求項１に係る映像表示装置と同様の作用効果を得ることができる。
【発明の効果】
【００１８】
本発明によれば、バッテリー駆動するシャッター眼鏡のバッテリー残容量などシャッター眼鏡内部に関する情報を、シャッター眼鏡をかけた観察者に好適に通知することができる、優れた映像表示装置、映像表示システム、映像提示方法、並びにコンピューター・プログラムを提供することができる。
【００１９】
本発明によれば、シャッター眼鏡をかけた観察者に対して、バッテリー駆動するシャッター眼鏡のバッテリー残容量などに関する情報を、立体映像の表示を通じて好適に通知することができる、優れた映像表示装置、映像表示システム、映像提示方法、並びにコンピューター・プログラムを提供することができる。
【００２０】
また、本願の請求項２乃至４に記載の発明によれば、シャッター眼鏡をかけた複数の観察者の各々に対して、バッテリー駆動するシャッター眼鏡のバッテリー残容量などに関する情報を、立体映像の表示を通じて好適に通知することができる、優れた映像表示装置、映像表示システム、映像提示方法、並びにコンピューター・プログラムを提供することができる。
【００２１】
本発明のさらに他の目的、特徴や利点は、後述する本発明の実施形態や添付する図面に基づくより詳細な説明によって明らかになるであろう。
【図面の簡単な説明】
【００２２】
【図１】図１は、本発明を適用可能な立体映像表示システム１の構成を模式的に示した図である。
【図２】図２は、時分割立体映像表示システム１において、左眼用映像と右眼用映像を分離して観察者に提示する仕組みを説明するための図である。
【図３】図３は、Ｌサブフレーム期間におけるシャッター眼鏡２０の制御動作を示した図である。
【図４】図４は、Ｒサブフレーム期間におけるシャッター眼鏡２０の制御動作を示した図である。
【図５】図５は、表示装置１０がシャッター眼鏡２０からバッテリー２２の状態情報を取得する通信シーケンス例を示した図である。
【図６】図６は、シャッター眼鏡２０がバッテリー２２の状態に関する情報を表示装置１０に送信する処理手順を示したフローチャートである。
【図７】図７は、表示装置１０がバッテリー２０からバッテリー２２の状態情報を受信する処理手順を示したフローチャートである。
【図８】図８は、表示装置１０側で、シャッター眼鏡２０から取得したバッテリー２２の状態情報に基づいて行なう処理手順を示したフローチャートである。
【図９】図９は、バッテリーの電圧レベルに関する視覚情報を例示した図である。
【図１０】図１０は、複数のシャッター眼鏡が表示装置１０に接続されるときに、シャッター眼鏡毎の電池アイコンを表示部１１の画面に表示した様子を示した図である。
【図１１】図１１は、バッテリーが消耗したシャッター眼鏡をかけた観察者にのみ電池アイコンが表示されるように、シャッター眼鏡毎の開閉タイミング制御を行なう動作を示した図である。
【図１２】図１２は、表示装置１０が複数のシャッター眼鏡２０−１、２０−２、…からバッテリー２２の状態情報を取得して、いずれかのバッテリー２２の残容量低下に応じて必要な観察者に電池アイコンを表示するための通信シーケンス例を示した図である。
【図１３】図１３は、図１２に示した通信シーケンスにおいて、シャッター眼鏡２０側で、表示装置１０からの応答フレームに従ってシャッターの開閉タイミングを制御するための処理手順を示したフローチャートである。
【発明を実施するための形態】
【００２３】
以下、図面を参照しながら本発明の実施形態について詳細に説明する。
【００２４】
図１には、本発明を適用可能な時分割立体映像表示システム１の構成を模式的に示している。図示の時分割立体映像表示システム１は、表示装置１０と、観察者が装着するシャッター眼鏡２０で構成される。表示装置１０は、左眼用映像、右眼用映像など複数の互いに異なる映像を時分割で切り換えて表示する。これに対し、シャッター眼鏡２０は、表示装置１０の映像切り替えに同期して左右のレンズに備えられたシャッターを開閉操作して、左眼用映像と右眼用映像を分離する。
【００２５】
表示装置１０は、映像表示を行なう表示部１１と、シャッター眼鏡２０との間でデータ通信を行なう通信部１２と、表示装置１０全体の動作をコントロールする制御部１３を備えている。
【００２６】
シャッター眼鏡２０は、シャッター眼鏡機能部２１と、主電源としてのバッテリー２２と、バッテリー２２の残容量などの状態を監視するバッテリー監視部２３と、表示装置１０との間でデータ通信を行なう通信部２４と、シャッター眼鏡２０全体の動作をコントロールする制御部２５を備えている。
【００２７】
シャッター眼鏡２０が表示装置１０側での映像切り替えに同期してシャッターを正確に開閉操作するには、表示装置１０からシャッター眼鏡２０へ、シャッターの開閉タイミングを通知する必要がある。
【００２８】
シャッターの開閉タイミングの通知を含んだ、表示装置１０とシャッター眼鏡２０間のデータ通信は、互いの通信部１２と通信部２４間で行なわれる。本実施形態では、シャッター眼鏡２０はコードレスであることを想定しており、このデータ通信には無線技術が適用される。
【００２９】
ここで、表示装置１０とシャッター眼鏡２０間の無線通信手段の１つとして、赤外線通信が挙げられる。赤外線通信によれば、表示装置１０からシャッター眼鏡２０へ、時分割で映像を切り換える度にシャッターの開閉タイミングの通知を、比較的低消費電力で行なうことができる。しかしながら、赤外線の指向性のため、シャッター眼鏡２０を装着した観察者の居場所が制約されることや、一方向通信であるためデータ通信を利用したサービスが十分でないなどの問題がある。
【００３０】
また、表示装置１０とシャッター眼鏡２０間を接続する他の無線通信手段として、ＩＥＥＥ８０２．１５．４などのワイヤレス・ネットワークを挙げることができる。ワイヤレス・ネットワークは双方向通信であり、シャッター眼鏡２０から表示装置１０へデータ通信を行なうこともでき、システム１が提供できるサービスが拡充する。
【００３１】
ワイヤレス・ネットワークは、赤外線通信と比べると消費電力が高い。このため、表示装置１０からシャッター眼鏡２０へ逐次シャッターの開閉タイミングの通知を行なうと、バッテリー駆動のシャッター眼鏡２０側では常時受信待ちしていなければならず、バッテリー２２の負担が過大になる。これに対し、双方向通信によりシャッター眼鏡２０と表示装置１０との間でクロック周波数の同期をとるとともにシャッターの開閉に用いるカウンターの値を一致させることで、その後は、表示装置１０からシャッター眼鏡２０へ開閉タイミングとパラメーター通知を間欠的に行なえばよくなる。すなわち、シャッター眼鏡２０は、立体映像を表示している期間であっても常時受信待ちする必要はなくなり、消費電力を低減することができる。ワイヤレス・ネットワークを利用した映像表示システムは、例えば本出願人に既に譲渡されている特願２００９−２７６９４８号明細書に開示されている。
【００３２】
以下では、表示装置１０とシャッター眼鏡２０間の無線通信手段にＩＥＥＥ８０２．１５．４などのワイヤレス・ネットワークを適用するものとして説明する。図１に示したシステム構成例では、表示装置１０とシャッター眼鏡２０が１対１で通信を行なうが、表示装置１０の通信部１２がアクセスポイントとして動作して、それぞれ端末局として動作する複数のシャッター眼鏡を収容することも可能である。
【００３３】
続いて、時分割立体映像表示システム１において、左眼用映像と右眼用映像を分離して観察者に提示する仕組みについて、図２を参照しながら説明する。但し、ここでは表示装置１０の表示部１１として、液晶ディスプレイ１００を用いるものとする。
【００３４】
液晶ディスプレイ１００は、液晶表示パネル１０１と、バックライト１０２と、映像信号処理部１０３と、シャッター眼鏡２００のシャッター機構の開閉タイミングを制御するシャッター制御部１０４と、タイミング制御部１０５と、バックライト制御部１０６と、データ・ドライバー１０７及びゲート・ドライバー１０８を備えている。
【００３５】
液晶表示パネル１０１は、全体としてマトリックス状に配列された複数の画素を有し、データ・ドライバー１０７から供給される映像電圧に基づいてバックライト１０２から発せられる光を、ゲート・ドライバー１０８から供給される駆動信号に従って変調することにより、入力映像信号Ｄinに基づく映像表示を行なう。本実施形態では、液晶表示パネル１１は、１フレーム期間などの所定の周期内で、右眼用映像信号ＤRに基づく右眼用映像Ｒと左眼用映像信号ＤLに基づく左眼用映像Ｌとを、時分割で交互に表示する。
【００３６】
映像信号処理部１０３は、入力映像信号Ｄinに基づいて、右眼用映像信号ＤR及び左眼用映像信号ＤLの液晶表示パネル１０１への書き込み順序（すなわち、表示順序）の制御を行なうことによって、液晶表示パネル１１への映像信号を生成する。本実施形態では、映像信号処理部１０３は、入力映像信号Ｄinから、１フレーム期間内において、左眼用映像信号ＤL及び右眼用映像信号Ｄが交互に配置された映像信号Ｄ１を生成する。以下では、１フレーム期間のうち、左眼用映像Ｌの表示期間を「Ｌサブフレーム期間」、右眼用映像Ｒの表示期間を「Ｒサブフレーム期間」と呼ぶことにする。
【００３７】
タイミング制御部１０５は、ゲート・ドライバー１０８及びデータ・ドライバー１０７の駆動タイミングを制御するとともに、映像信号処理部１０３から供給される映像信号Ｄ１をデータ・ドライバー１０７に供給する。
【００３８】
ゲート・ドライバー１０８は、タイミング制御部１０５によるタイミング制御に従って、液晶表示パネル１０１内の各画素をゲート線に沿って順次駆動する。また、データ・ドライバー１０７は、液晶表示パネル１０１の各画素へ、タイミング制御部１０５から供給される映像信号Ｄ１に基づく映像電圧を供給する。具体的には、映像信号Ｄ１にＤ／Ａ変換を施して、映像電圧に相当するアナログ映像信号を生成して、各画素へ出力する。
【００３９】
シャッター制御部１０４は、映像信号処理部１０３による右眼用映像信号ＤR及び左眼用映像信号ＤLの出力タイミングに基づいて、左右のシャッター機構の開閉タイミング並びにパラメーターの通知を、所定の周期で通信部１２を通じて行なう。
【００４０】
シャッター眼鏡２０は、左眼用レンズ２１Ｌと右眼用レンズ２１Ｒを有している。左眼用レンズ２１Ｌと右眼用レンズ２１Ｒには、開口部を遮光するための遮光シャッター（図示しない）がそれぞれ配設されている。遮光シャッターは、例えば液晶シャッターなどにより構成される。シャッター眼鏡２０内では、遮光シャッターにおける遮光機能の有効状態（すなわち、閉成状態）、及び、無効状態（すなわち、開成状態）を、受信したシャッター開閉タイミング並びにパラメーターに従って制御する。
【００４１】
図３には、Ｌサブフレーム期間におけるシャッター眼鏡２０の制御動作を示している。図示のように、Ｌサブフレーム期間には、左眼用レンズ２１Ｌのシャッターを開成状態、右眼用レンズ２１Ｒのシャッターを閉成状態とし、左眼用映像Ｌに基づく表示光ＬＬが左眼用レンズ２１Ｌのみを透過する。また、図４には、Ｒサブフレーム期間におけるシャッター眼鏡２０の制御動作を示している。図示のように、Ｒサブフレーム期間には、右眼用レンズ２１Ｒのシャッターを開成状態、左眼用レンズ２１Ｌのシャッターを閉成状態とし、右眼用映像Ｒに基づく表示光ＲＲが右眼用レンズ２１Ｒのみを透過する。
【００４２】
本実施形態では、表示装置１０側の通信部１２とシャッター眼鏡２０側の通信部２４間の無線通信に、ＩＥＥＥ８０２．１５．４などの双方向通信可能なワイヤレス・ネットワークを適用している。したがって、表示装置１０とシャッター眼鏡２０間のクロック周波数の同期合わせやシャッターの開閉に用いるカウンターの値を一致させるためのネゴシエーションを双方向通信で行なうことができる。さらには、シャッター眼鏡２０の内部情報やその他のデータを表示装置１０に送信し、表示画面を通じたサービスを観察者に提供することができる。
【００４３】
例えば、シャッター眼鏡２０はバッテリー２２を主電源としており、そのオペレーション時間はバッテリー２２の容量の制約を受け、また、残容量の低下により、バッテリーの交換や重電などの操作を行なう必要がある。そこで、シャッター眼鏡２０は、バッテリー２２の残容量などの内部情報を表示装置１０に送信し、表示装置１０側では、残容量の通知や警告を表示部１１で画面表示するようにする。勿論、この通知や警告を時分割立体映像として提示することもできる。このような場合、観察者は、シャッター眼鏡２０をかけたままの状態、すなわち立体映像を視聴しながら、バッテリー２２の消耗などの状態を確認することができる。
【００４４】
以下では、シャッター眼鏡２０のバッテリー２２の状態を表示装置１０で画面表示するための動作手順について説明する。
【００４５】
図５には、表示装置１０がシャッター眼鏡２０からバッテリー２２の状態情報を取得する通信シーケンス例を示している。
【００４６】
シャッター眼鏡２０側では、バッテリー２２を装着して起動すると、バッテリー２２の状態の監視を開始し、その状態情報を取得すると、表示装置１０に通知する。一方、表示装置１０は、シャッター眼鏡２０からフレームを受信すると、応答フレームを返す。
【００４７】
その後、シャッター眼鏡２０は、バッテリー２２の状態の監視を継続して行ない、定期的（例えば数秒毎）にバッテリー２２の状態情報を含むフレームを、表示装置１０に送信する。そして、表示装置１０は、シャッター眼鏡２０からフレームを受信する度に、応答フレームを返す。
【００４８】
図６には、シャッター眼鏡２０がバッテリー２２の状態に関する情報を表示装置１０に送信する処理手順をフローチャートの形式で示している。図示の処理手順は、例えば、制御部２５による統括的なコントロールの下で実現する。
【００４９】
シャッター眼鏡２０にバッテリー２２を装着し、起動すると（ステップＳ６１）、バッテリー監視部２３はバッテリー２２の状態を取得し（ステップＳ６２）、制御部２５は、取得した状態情報を、通信部２４を通じて定期的に表示装置１０に送信する（ステップＳ６３）。
【００５０】
ここで言うバッテリー２２の状態情報は、バッテリー２２の出力端子電圧や、出力端子電圧の継続的な監視結果に基づく現時点でのバッテリー２２の残容量などである。バッテリー２２の出力端子電圧をそのまま通信部２４を通じて表示装置１０に送信し、表示装置１０側でバッテリー２２の残容量などの状態を監視するようにしてもよい。
【００５１】
図７には、表示装置１０がシャッター眼鏡２０からバッテリー２２の状態情報を受信する処理手順をフローチャートの形式で示している。図示の処理手順は、例えば、制御部１３の統括的なコントロールの下で実現する。但し、シャッター眼鏡２０からは、バッテリー２２の状態情報として、バッテリー２２の出力端子電圧に関する情報が送られてくるものとする。
【００５２】
通信部１２でシャッター眼鏡２０からのフレームを受信すると、制御部１３は、ペイロードを解析して、バッテリー２２の状態情報を記述したものか否かをチェックする（ステップＳ７１）。ここで、受信フレームがバッテリー２２の状態情報以外に関するものである場合には（ステップＳ７１のＮｏ）、当該ルーチンを抜け、他の該当する処理を起動する。
【００５３】
また、受信フレームがバッテリー２２の状態情報を含む場合には（ステップＳ７１のＹｅｓ）、制御部１３は、フレームからバッテリー２２の出力端子電圧に関する情報を読み出して、例えばローカル・メモリ（図示しない）に格納する（ステップＳ７２）。
【００５４】
図８には、表示装置１０側で、シャッター眼鏡２０から取得したバッテリー２２の状態情報に基づいて行なう処理手順をフローチャートの形式で示している。図示の処理手順は、例えば、制御部１３の統括的なコントロールの下で実現する。ここでは、バッテリー２２の状態情報に基づく処理として、電圧レベルに関する視覚情報を表示部１１の画面上で提示することを想定している。
【００５５】
制御部１３は、ローカル・メモリ（図示しない）に格納されているバッテリー２２の出力端子電圧に関する情報を読み出すと、まず、この電圧値が規定電圧以上か否かをチェックする（ステップＳ８１）。ここで、バッテリー２２の出力端子電圧が規定電圧以上であれば（ステップ     Ｓ８１のＹｅｓ）、バッテリー２２の出力端子電圧が規定電圧以上であることを示す視覚情報を表示部１１の画面に表示するための処理を実行する（ステップＳ８６）。
【００５６】
また、バッテリー２２の出力端子電圧が規定電圧を下回るときには（ステップＳ８１のＮｏ）、制御部１３は、続いて、この電圧値がレベル２以上か否かをチェックする（ステップＳ８２）。ここで、バッテリー２２の出力端子電圧がレベル２以上であれば（ステップＳ８２のＹｅｓ）、バッテリー２２の出力端子電圧が規定電圧を下回るがレベル２以上であることを示す視覚情報を表示部１１の画面に表示するための処理を実行する（ステップＳ８６）。
【００５７】
また、バッテリー２２の出力端子電圧がレベル２を下回るときには（ステップＳ８２のＮｏ）、制御部１３は、続いて、この電圧値がレベル３以上か否かをチェックする（ステップＳ８３）。ここで、バッテリー２２の出力端子電圧がレベル３以上であれば（ステップＳ８３のＹｅｓ）、バッテリー２２の出力端子電圧がレベル２を下回るがレベル３以上であることを示す視覚情報を表示部１１の画面に表示するための処理を実行する（ステップＳ８６）。
【００５８】
また、バッテリー２２の出力端子電圧がレベル３を下回るときには（ステップＳ８３のＮｏ）、制御部１３は、バッテリー２２の出力端子電圧が規定電圧を下回りバッテリーの交換や充電が必要な状態であれと判断して（ステップＳ８４）、警告表示を表示部１１の画面に表示するための処理を実行する（ステップＳ８５）。
【００５９】
表示部１１に画面表示する、電圧レベルに関する視覚情報とは、例えば出力端子電圧レベル若しくは残容量を直感的に表現した電池アイコンである。図９には、バッテリー２２の出力端子電圧が規定電圧以上のとき、規定電圧を下回るがレベル２以上のとき、レベル２を下回るがレベル３以上のとき、規定電圧を下回りバッテリーの交換や充電が必要なときにそれぞれ表示される電池アイコンを例示している。図示の電池アイコンは、バッテリー２２の出力端子電圧を残容量で表現したものである。また、例えば緑色、黄色、赤色の順に、警告の度合いに応じて電池アイコン毎に表示色を変えると、電圧レベルをさらに視覚的に識別し易くなる。
【００６０】
なお、図８に示した処理手順は、バッテリー２２の出力端子電圧でその残容量を推定できることを前提としたものであり、一例に過ぎない。バッテリー２２の種類や特性に応じて処理手順は適宜変更されることを理解されたい。
【００６１】
表示装置１０とシャッター眼鏡２０間の無線通信手段にＩＥＥＥ８０２．１５．４などのワイヤレス・ネットワークを適用する場合、表示装置１０の通信部１２がアクセスポイントとして動作して、それぞれ端末局として動作する複数のシャッター眼鏡を収容することが可能である（前述）。図１０には、複数のシャッター眼鏡が表示装置１０に接続されるときに、シャッター眼鏡毎の電池アイコンを表示部１１の画面に表示した様子を示している。
【００６２】
ここで、図１０に示したように複数の電池アイコンを同時に表示する場合、例えば電池アイコン毎にユーザー名などの識別情報を付加することで、シャッター眼鏡をかけた各観察者は、どの電池アイコンが自分のものかを見分けることができる。しかしながら、見分ける作業は煩わしく、また、自分のバッテリーが消耗していない観察者にとっては、電池アイコンの表示は不要で、映像の視聴の妨げにもなる。そこで、時分割映像表示の仕組みを利用して、バッテリーが消耗したシャッター眼鏡をかけた観察者にのみ（警告用の）電池アイコンが表示されるように、シャッター眼鏡毎の開閉タイミング制御を行なうようにしてもよい。
【００６３】
図１１（ａ）には、シャッター眼鏡２０の通常の開閉タイミング制御を示している。表示装置１０の表示部１１は、非常に短いフレーム周期で左眼用映像と右眼用映像が交互に切り換わって表示する。これに対し、シャッター眼鏡２０側では、左眼用映像の表示期間に同期して左眼用シャッターが開成するとともに右眼用シャッターが閉成し、右眼用映像の表示期間に同期して右眼用シャッターが開成するとともに左眼用シャッターが閉成するよう、表示装置１０側からの開閉タイミング及びパラメーター通知により制御される。
【００６４】
また、図１１（ｂ）には、バッテリー２２が消耗したシャッター眼鏡２０をかけた観察者に対して電池アイコンを表示するときの、シャッター眼鏡２０の開閉タイミング制御を示している。表示装置１０の表示部１１は、非常に短いフレーム周期で左眼用映像と右眼用映像が交互に切り換わって表示する。そして、表示装置１０は、通信範囲に収容した各シャッター眼鏡２０からバッテリー２２の状態情報を受信し、いずれかのシャッター眼鏡２０においてバッテリー２０の残容量低下を検出すると、フレーム内に電池アイコンを含んだ左眼用映像及び右眼用映像の組を、所定の間隔で挿入する。そして、表示装置１０は、バッテリー２０の残容量低下を検出したシャッター眼鏡２０に対しては、通常通り、右眼用映像の表示期間に同期して右眼用シャッターが開成するとともに左眼用シャッターが閉成するよう開閉タイミングを制御する。この結果、シャッター眼鏡２０は、フレーム内に電池アイコンを含んだ左眼用映像及び右眼用映像が表示される期間も、通常通りのシャッター開閉動作を行なうので、バッテリー２２の残容量が低下したシャッター眼鏡２０をかけた観察者には電池アイコンが見える。
【００６５】
また、図１１（ｃ）には、上記のように電池アイコンを表示する際、バッテリー２２が消耗していないシャッター眼鏡２０をかけた観察者、言い換えれば警告表示とは無関係の観察者には電池アイコンを見えないようにする、シャッター眼鏡２０の開閉タイミング制御を示している。上述したように、表示装置１０は、通信範囲に収容したいずれかのシャッター眼鏡２０でバッテリー２２の消耗を検出すると、フレーム内に電池アイコンを含んだ左眼用映像及び右眼用映像の組を、所定の間隔で挿入する。また、表示装置１０は、バッテリー２２が消耗していない他のシャッター眼鏡２０に対しては、フレーム内に電池アイコンを含んだ左眼用映像及び右眼用映像が表示される期間には、左右双方のシャッターを閉成状態に保つよう、開閉タイミングを制御する。この結果、バッテリー２２の残容量が低下していないシャッター眼鏡２０は、電池アイコンを含んだ左眼用映像及び右眼用映像をともに遮るので、観察者には電池アイコンが見えなくなる。
【００６６】
図１２には、表示装置１０が複数のシャッター眼鏡２０−１、２０−２、…からバッテリー２２の状態情報を取得して、いずれかのバッテリー２２の残容量の低下に応じて必要な観察者に電池アイコンを表示するための通信シーケンス例を示している。但し、図示の例では、表示装置１０と通信するシャッター眼鏡は３台とする。
【００６７】
各々のシャッター眼鏡２０−１、…は、バッテリー２２の状態の監視しており、その状態情報を含んだフレームを表示装置１０に定期的に送信する。
【００６８】
表示装置１０は、各シャッター眼鏡２０−１、…から受信したバッテリー２２の状態情報を解析する。そして、解析結果すなわち各々バッテリー２２の残容量に基づいて、各シャッター眼鏡２０−１、…におけるシャッターの開閉タイミング及びパラメーターを決定すると、応答フレームによって各シャッター眼鏡２０−１、…に通知する。なお、図示の例では、表示装置１０は、応答フレームを同報送信により返信しているが、各シャッター眼鏡２０−１、…に１対１で応答フレームを返信するようにしてもよい。
【００６９】
ここで、表示装置１０は、シャッター眼鏡２０−１でのみバッテリー２２の残容量低下を検出すると、フレーム内に電池アイコンを含んだ左眼用映像及び右眼用映像の組を、所定の間隔で挿入する。また、表示装置１０は、電池アイコンを表示すべきシャッター眼鏡２０−１に対しては、電池アイコンを見せるために、通常通りの開閉タイミング及びパラメーターを決定する。他方、バッテリー２２の残容量が低下せず電子アイコンを表示すべきでないシャッター眼鏡２０−２、２０−３に対しては、フレーム内に電池アイコンを含んだ左眼用映像及び右眼用映像が表示される期間には、左右双方のシャッターを閉成状態に保つよう、開閉タイミング及びパラメーターを決定する。そして、表示装置１０は、シャッター眼鏡２０−１、…毎の開閉タイミング及びパラメーターを、応答フレームによって各シャッター眼鏡２０−１、…に通知する。
【００７０】
シャッター眼鏡２０−１は、フレーム内に電池アイコンを含んだ左眼用映像及び右眼用映像が表示される期間も、通常通りのシャッター開閉動作を行なう。したがって、シャッター眼鏡２０−１をかけた観察者には電池アイコンが見える。
【００７１】
シャッター眼鏡２０−２、２０−３は、フレーム内に電池アイコンを含んだ左眼用映像及び右眼用映像が表示される期間には、左右双方のシャッターを閉成状態に保つ。したがって、シャッター眼鏡２０−２、２０−３は、電池アイコンを含んだ左眼用映像及び右眼用映像をともに遮るので、観察者には電池アイコンが見えなくなる。
【００７２】
図１３には、図１２に示した通信シーケンスにおいて、シャッター眼鏡２０側で、表示装置１０からの応答フレームに従ってシャッターの開閉タイミングを制御するための処理手順をフローチャートの形式で示している。図示の処理手順は、例えば、制御部２５の統括的なコントロールの下で実現する。
【００７３】
制御部２５は、表示装置１０からの応答フレームを解析して、表示装置１０に接続しているいずれかのシャッター眼鏡２０においてバッテリー２２の残容量低下が検出されたか否かをチェックする（ステップＳ１３０１）。
【００７４】
制御部２５は、表示装置１０に接続しているすべてのシャッター眼鏡２０のバッテリー２２の残容量が低下していないことを確認できたときには（ステップＳ１３０１のＮｏ）、図１１（ａ）に示したように、通常通り、左眼用映像の表示期間に同期して左眼用シャッターが開成するとともに右眼用シャッターが閉成し、右眼用映像の表示期間に同期して右眼用シャッターが開成するとともに左眼用シャッターが閉成するよう、制御する（ステップＳ１３０３）。
【００７５】
他方、制御部２５は、表示装置１０に接続しているいずれかのシャッター眼鏡２０のバッテリー２２の残容量が低下していることが分かったときには（ステップＳ１３０１のＹｅｓ）、自分のバッテリー２２の残容量が低下しているのか、自分ではなく他のシャッター眼鏡２０においてバッテリー２２の残容量が低下しているのかをさらにチェックする（ステップＳ１３０２）。
【００７６】
そして、制御部２５は、自分のバッテリー２２の残容量が低下していることが分かったときには、図１１（ｂ）に示したように、通常通り、右眼用映像の表示期間に同期して右眼用シャッターが開成するとともに左眼用シャッターが閉成するよう開閉タイミングを制御する（ステップＳ１３０４）。この結果、シャッター眼鏡２０は、フレーム内に電池アイコンを含んだ左眼用映像及び右眼用映像が表示される期間も、通常通りのシャッター開閉動作を行なうので、観察者には電池アイコンが見える。
【００７７】
また、制御部２５は、自分ではなく他のシャッター眼鏡２０においてバッテリー２２の残容量が低下していることが分かったときには、図１１（ｃ）に示したように、フレーム内に電池アイコンを含んだ左眼用映像及び右眼用映像が表示される期間には、左右双方のシャッターを閉成状態に保つよう、左右のシャッターを開閉動作させる（ステップＳ１３０５）。この結果、シャッター眼鏡２０は電池アイコンを含んだ左眼用映像及び右眼用映像をともに遮るので、観察者には電池アイコンが見えなくなる。
【産業上の利用可能性】
【００７８】
以上、特定の実施形態を参照しながら、本発明について詳細に説明してきた。しかしながら、本発明の要旨を逸脱しない範囲で当業者が該実施形態の修正や代用を成し得ることは自明である。
【００７９】
本明細書では、複数の互いに異なる映像を時分割で表示する表示装置として液晶ディスプレイを用いた実施形態を中心に説明してきたが、本発明の要旨はこれに限定されるものではない。例えば、旧来のＣＲＴ（Ｃａｔｈｏｄ  Ｒａｙ  Ｔｕｂｅ）ディスプレイの他、プラズマ・ディスプレイ・パネル（ＰＤＰ）、エレクトロ・ルミネッセンス（ＥＬ）パネルを用いることができる。
【００８０】
また、本明細書では、シャッター眼鏡と表示装置とを接続する通信手段として、例えばＩＥＥＥ８０２．１５．４などのワイヤレス・ネットワークを適用した実施形態を中心に説明してきたが、本発明の要旨はこれに限定されるものではない。シャッター眼鏡と表示装置間で双方向の通信が可能であれば、その他の無線通信技術あるいは有線通信技術を適用することも可能である。
【００８１】
本明細書で説明した実施形態における一連の処理は、ハードウェア、ソフトウェアのいずれにより行なうこともできる。当該処理をソフトウェアによって実現する場合には、ソフトウェアにおける処理手順をコンピューター可読形式に記述したコンピューター・プログラムを所定のコンピューターにインストールして実行すればよい。また、このコンピューター・プログラムは、液晶ディスプレイなどの製品に組み込んでおくこともできる。
【００８２】
要するに、例示という形態で本発明を開示してきたのであり、本明細書の記載内容を限定的に解釈するべきではない。本発明の要旨を判断するためには、特許請求の範囲を参酌すべきである。
【符号の説明】
【００８３】
１…時分割立体映像表示システム
１０…表示装置
１１…表示部
１２…通信部
１３…制御部
２０…シャッター眼鏡
２１…シャッター眼鏡機能部
２１Ｌ…左眼用レンズ、２１Ｒ…右眼用レンズ
２２…バッテリー
２３…バッテリー監視部
２４…通信部
２５…制御部
１００…液晶ディスプレイ
１０１…液晶表示パネル
１０２…バックライト
１０３…映像信号処理部
１０４…シャッター制御部
１０５…タイミング制御部
１０６…バックライト制御部
１０７…データ・ドライバー
１０８…ゲート・ドライバー
【図１】
2011215227.tif 000003
【図２】
2011215227.tif 000004
【図５】
2011215227.tif 000005
【図６】
2011215227.tif 000006
【図７】
2011215227.tif 000007
【図８】
2011215227.tif 000008
【図９】
2011215227.tif 000009
【図１０】
2011215227.tif 000010
【図１２】
2011215227.tif 000011
【図１３】
2011215227.tif 000012
【図３】
2011215227.tif 000013
【図４】
2011215227.tif 000014
【図１１】
2011215227.tif 000015